(57)【要約】【課題】本発明は、ブラック輝度を低減してコントラストを向上させるプラズマディスプレイ装置の駆動方法を提供するためのものである。【解決手段】本発明は、リセット期間の中、セットアップ期間の間に徐々に上昇する第１パルスをスキャン電極に印加する段階と、リセット期間中、セットダウン期間の間に第１電圧から第２電圧まで徐々に下降する第２パルスをスキャン電極に印加する段階と、セットダウン期間の間、正極性の第３電圧をアドレス電極に供給する段階と、セットダウン期間の間、第３電圧が供給された後、アドレス電極の電圧がフローティングされる段階と、を含む。【選択図】図２
2007249204.tif 000002
【特許請求の範囲】
【請求項１】
リセット期間中、セットアップ期間の間に徐々に上昇する第１パルスをスキャン電極に印加する段階と、
前記リセット期間中、セットダウン期間の間に第１電圧から第２電圧まで徐々に下降する第２パルスを前記スキャン電極に印加する段階と、
前記セットダウン期間の間、正極性の第３電圧をアドレス電極に供給する段階と、
前記セットダウン期間の間、前記第３電圧が供給された後、前記アドレス電極の電圧がフローティングされる段階と、
を含むプラズマディスプレイ装置の駆動方法。
【請求項２】
前記アドレス電極の電圧がフローティングされる期間は、１μｓ以上５０μｓ以下であることを特徴とする請求項１記載のプラズマディスプレイ装置の駆動方法。
【請求項３】
前記アドレス電極の電圧がフローティングされる期間は、前記セットダウン期間中、後半部の２／３期間であることを特徴とする請求項１記載のプラズマディスプレイ装置の駆動方法。
【請求項４】
前記セットダウン期間の間、正極性の第４電圧をサステイン電極に供給する段階と、
前記セットダウン期間の間、前記第４電圧が供給された後、前記サステイン電極の電圧がフローティングされる段階を更に含む請求項１記載のプラズマディスプレイ装置の駆動方法。
【請求項５】
前記セットダウン期間の間、前記サステイン電極の電圧のフローティング開始時点は、前記アドレス電極の電圧のフローティング開始時点と実質的に同一であることを特徴とする請求項４記載のプラズマディスプレイ装置の駆動方法。
【請求項６】
前記第３電圧は、アドレス期間の間、前記アドレス電極に印加されるデータ電圧と実質的に同一であることを特徴とする請求項１記載のプラズマディスプレイ装置の駆動方法。
【請求項７】
前記第４電圧は、サステイン期間の間、前記サステイン電極に印加されるサステイン電圧と実質的に同一であることを特徴とする請求項４記載のプラズマディスプレイ装置の駆動方法。
【請求項８】
前記第２パルスは、前記第１電圧から前記第２電圧まで徐々に下降した後、前記第２電圧を維持することを特徴とする請求項１記載のプラズマディスプレイ装置の駆動方法。
【請求項９】
前記第２電圧は、アドレス期間の間、前記スキャン電極に印加されるスキャン電圧と実質的に同一であることを特徴とする請求項８記載のプラズマディスプレイ装置の駆動方法。
【請求項１０】
リセット期間中、セットアップ期間の間、徐々に上昇する第１パルスをスキャン電極に印加する段階と、
前記リセット期間中、セットダウン期間の間、第１電圧から第２電圧まで徐々に下降する第２パルスを前記スキャン電極に印加する段階と、
前記セットアップ期間の間、前記アドレス電極の電圧がフローティングされる段階と、
前記セットダウン期間の間、正極性の第３電圧をアドレス電極に供給する段階と、
前記セットダウン期間の間、前記第３電圧が供給された後、前記アドレス電極の電圧がフローティングされる段階と、
を含むプラズマディスプレイ装置の駆動方法。
【請求項１１】
前記セットダウン期間の間、前記アドレス電極の電圧がフローティングされる期間は、１μｓ以上５０μｓ以下であることを特徴とする請求項１０記載のプラズマディスプレイ装置の駆動方法。
【請求項１２】
前記セットダウン期間の間、前記アドレス電極の電圧がフローティングされる期間は、前記セットダウン期間中、後半部の２／３期間以下であることを特徴とする請求項１０記載のプラズマディスプレイ装置の駆動方法。
【請求項１３】
前記セットダウン期間の間、正極性の第４電圧をサステイン電極に供給する段階と、
前記セットダウン期間の間、前記第４電圧が供給された後、前記サステイン電極の電圧がフローティングされる段階を更に含む請求項１０記載のプラズマディスプレイ装置の駆動方法。
【請求項１４】
前記セットダウン期間の間、前記サステイン電極の電圧のフローティング開始時点は、前記アドレス電極の電圧のフローティング開始時点と実質的に同一であることを特徴とする請求項１３記載のプラズマディスプレイ装置の駆動方法。
【請求項１５】
前記第３電圧は、アドレス期間の間、前記アドレス電極に印加されるデータ電圧と実質的に同一であることを特徴とする請求項１０記載のプラズマディスプレイ装置の駆動方法。
【請求項１６】
前記第４電圧は、サステイン期間の間、前記サステイン電極に印加されるサステイン電圧と実質的に同一であることを特徴とする請求項１３記載のプラズマディスプレイ装置の駆動方法。
【請求項１７】
前記第２パルスは、前記第１電圧から前記第２電圧まで徐々に下降した後、前記第２電圧を維持することを特徴とする請求項１０記載のプラズマディスプレイ装置の駆動方法。
【請求項１８】
前記第２電圧は、アドレス期間の間、前記スキャン電極に印加されるスキャン電圧と実質的に同一であることを特徴とする請求項１７記載のプラズマディスプレイ装置の駆動方法。
【発明の詳細な説明】
【技術分野】
【０００１】
本発明は、ディスプレイ装置に関し、より詳しくは、プラズマディスプレイ装置の駆動方法に関する。
【背景技術】
【０００２】
一般に、ディスプレイ装置の中で、プラズマディスプレイ装置は、プラズマディスプレイパネルとプラズマディスプレイパネルを駆動するための駆動部を含む。
【０００３】
一般に、プラズマディスプレイパネルは、前面パネルと後面パネルとの間に形成された隔壁が１つの放電セルをなすものであって、各放電セル内には、ネオン（Ｎｅ）、ヘリウム（Ｈｅ）、またはネオン及びヘリウムの混合気体（Ｎｅ＋Ｈｅ）のような主放電気体と少量のキセノン（Ｘｅ）を含有する不活性ガスが充填されている。
【０００４】
このような放電セルが複数個が集まって１つのピクセル（Pixel）をなす。例えば、赤色（Red、Ｒ）放電セル、緑色（Green、Ｇ）放電セル、青色（Blue、Ｂ）放電セルが集まって１つのピクセルをなすものである。
【０００５】
そして、このようなプラズマディスプレイパネルは、高周波電圧により放電される際、不活性ガスは、真空紫外線（Ｖacuum Ultraviolet rays）を発生し、隔壁間に形成された蛍光体を発光させて画像が具現される。このようなプラズマディスプレイパネルは、軽量薄型の構成が可能であるので、次世代の表示装置として脚光を浴びている。
【０００６】
一方、従来のプラズマディスプレイ装置は、リセット期間の間に発生される光によってコントラスト（Contrast）が低下する問題点がある。
【発明の開示】
【発明が解決しようとする課題】
【０００７】
本発明は、前記の問題を解決するためのものであって、ブラック輝度を低減してコントラストを向上させることを目的とする。
【課題を解決するための手段】
【０００８】
本発明の一実施形態に係るプラズマディスプレイ装置の駆動方法は、リセット期間中、セットアップ期間の間に徐々に上昇する第１パルスをスキャン電極に印加する段階と、前記リセット期間中、セットダウン期間の間に第１電圧から第２電圧まで徐々に下降する第２パルスを前記スキャン電極に印加する段階と、前記セットダウン期間の間、正極性の第３電圧をアドレス電極に供給する段階と、前記セットダウン期間の間、第３電圧が供給された後、前記アドレス電極の電圧がフローティングされる段階と、を含む。
【０００９】
前記アドレス電極の電圧がフローティングされる期間は、１μｓ以上５０μｓ以下であることが好ましい。
【００１０】
前記アドレス電極の電圧がフローティングされる期間は、セットダウン期間中、後半部の２／３期間であることが好ましい。
【００１１】
前記セットダウン期間の間、正極性の第４電圧をサステイン電極に供給する段階と、前記セットダウン期間の間、前記第４電圧が供給された後、前記サステイン電極の電圧がフローティングされる段階を更に含むことが好ましい。
【００１２】
前記セットダウン期間の間、前記サステイン電極の電圧のフローティング開始時点は、 前記アドレス電極の電圧のフローティング開始時点と実質的に同一であることが好ましい。
【００１３】
前記第３電圧は、アドレス期間の間、前記アドレス電極に印加されるデータ電圧と実質的に同一であることが好ましい。
【００１４】
前記第４電圧は、サステイン期間の間、前記サステイン電極に印加されるサステイン電圧と実質的に同一であることが好ましい。
【００１５】
前記第２パルスは、第１電圧から第２電圧まで徐々に下降した後、前記第２電圧を維持することが好ましい。
【００１６】
前記第２電圧は、アドレス期間の間、前記スキャン電極に印加されるスキャン電圧と実質的に同一であることが好ましい。
【００１７】
本発明の他の一実施形態に係るプラズマディスプレイ装置の駆動方法は、リセット期間中、セットアップ期間の間、徐々に上昇する第１パルスをスキャン電極に印加する段階と、リセット期間中、セットダウン期間の間、第１電圧から第２電圧まで徐々に下降する第２パルスをスキャン電極に印加する段階と、セットアップ期間の間、アドレス電極の電圧がフローティングされる段階と、セットダウン期間の間、正極性の第３電圧をアドレス電極に供給する段階と、セットダウン期間の間、第３電圧が供給された後、アドレス電極の電圧がフローティングされる段階と、を含む。
【００１８】
前記セットダウン期間の間、前記アドレス電極の電圧がフローティングされる期間は、１μｓ以上５０μｓ以下であることが好ましい。
【００１９】
前記セットダウン期間の間、前記アドレス電極の電圧がフローティングされる期間は、前記セットダウン期間中、後半部の２／３期間以下であることが好ましい。
【００２０】
前記セットダウン期間の間、正極性の第４電圧をサステイン電極に供給する段階と、前記セットダウン期間の間、前記第４電圧が供給された後、前記サステイン電極の電圧がフローティングされる段階を更に含むことが好ましい。
【００２１】
前記セットダウン期間の間、前記サステイン電極の電圧のフローティング開始時点は、前記アドレス電極の電圧のフローティング開始時点と実質的に同一であることが好ましい。
【００２２】
前記第３電圧は、アドレス期間の間、前記アドレス電極に印加されるデータ電圧と実質的に同一であることが好ましい。
【００２３】
前記第４電圧は、サステイン期間の間、前記サステイン電極に印加されるサステイン電圧と実質的に同一であることが好ましい。
【００２４】
前記第２パルスは、前記第１電圧から前記第２電圧まで徐々に下降した後、前記第２電圧を維持することが好ましい。
【００２５】
前記第２電圧は、アドレス期間の間、前記スキャン電極に印加されるスキャン電圧と実質的に同一であることが好ましい。
【発明の効果】
【００２６】
以上、詳述したように、本発明の一実施形態に係るプラズマディスプレイ装置の駆動方法は、リセット期間の間に発生される放電量を減らしてコントラスト（contrast）特性を改善すると共に、放電セルの内部に壁電荷を安定化させてアドレス放電性能を向上させる効果がある。
【発明を実施するための最良の形態】
【００２７】
以下、本発明の一実施形態に係る具体的な実施形態を添付の図面を参照しつつ説明する。
【００２８】
図１は、本発明の一実施形態に係るプラズマディスプレイ装置を説明するための図である。
【００２９】
図１を見れば、本発明の一実施形態に係るプラズマディスプレイ装置は、プラズマディスプレイパネル１００と、このようなプラズマディスプレイパネル１００の電極に所定の駆動電圧を供給するための駆動部、好ましくは、データ駆動部１０１、スキャン駆動部１０２、及びサステイン駆動部１０３を含む。
【００３０】
ここで、スキャン駆動部１０２、及びサステイン駆動部１０３は、第１駆動部であり、データ駆動部１０１は第２駆動部である。
【００３１】
ここで、プラズマディスプレイパネル１００は、前面パネル（図示せず）と後面パネル（図示せず）が一定の間隔を置いて合着し、多数の電極、例えば、スキャン電極（Ｙ）とサステイン電極（Ｚ）が複数個形成されることが好ましい。
【００３２】
このようなプラズマディスプレイパネル１００の構造を図２を参照して詳細に説明すれば、次の通りである。
【００３３】
図２は、本発明の一実施形態に係るプラズマディスプレイ装置において、プラズマディスプレイパネルの構造の一例を説明するための図である。
【００３４】
図２を説明すれば、本発明の一実施形態に係るプラズマディスプレイ装置のプラズマディスプレイパネル１００は、画像がディスプレイされる表示面である前面基板２０１にスキャン電極（Ｙ）２０２とサステイン電極（Ｚ）２０３が形成された前面パネル２００及び背面をなす後面基板２１１の上に前述したスキャン電極（Ｙ）２０２及びサステイン電極（Ｚ）２０３と交差するように複数のアドレス電極（Ｘ）２１３が配列された後面パネル２１０が一定の距離を置いて並んで結合される。
【００３５】
前面パネル２００は１つの放電空間、すなわち放電セルで相互放電させ、放電セルの発光を維持するためのスキャン電極（Ｙ）２０２及びサステイン電極（Ｚ）２０３、すなわち透明なＩＴＯ物質で形成された透明電極（ａ）と金属材質で製作されたバス電極（ｂ）で備えられたスキャン電極（Ｙ）２０２及びサステイン電極（Ｚ）２０３を含む。
【００３６】
スキャン電極（Ｙ）２０２及びサステイン電極（Ｚ）２０３は、放電電流を制限し、電極対間を絶縁させる１つ以上の上部誘電体層２０４により覆われ、上部誘電体層２０４の上面には放電条件を容易にするために酸化マグネシウム（ＭｇＯ）を蒸着した保護層２０５が形成される。
【００３７】
後面パネル２１０は複数個の放電空間、すなわち、放電セルを形成させるためのストライプタイプ（または、ウェルタイプ）の隔壁２１２が平行を維持して配列される。また、アドレス放電を遂行して真空紫外線を発生させる多数のアドレス電極（Ｘ）２１３が隔壁２１２に対して平行になるように配置される。
【００３８】
後面パネル２１０の上側面にはアドレス放電の際、画像表示のための可視光を放出するＲ、Ｇ、Ｂ蛍光体２１４が塗布される。アドレス電極（Ｘ）２１３と蛍光体２１４との間にはアドレス電極（Ｘ）２１３を保護するための下部誘電体層２１５が形成される。
【００３９】
ここで、図２では本発明が適用できるプラズマディスプレイパネルの一例のみを図示及び説明したものであって、本発明が図２の構造のプラズマディスプレイパネルに限定されるのではないことを明らかにする。
【００４０】
例えば、図２ではスキャン電極（Ｙ）２０２とサステイン電極（Ｚ）２０３は、各々透明電極（ａ）とバス電極（ｂ）からなるもののみを図示しているが、これとは異なり、スキャン電極（Ｙ）２０２とサステイン電極（Ｚ）２０３のうち、少なくとも１つ以上はバス電極（ｂ）だけで構成されたり、または透明電極（ａ）だけで構成されることも可能である。
【００４１】
また、スキャン電極（Ｙ）２０２とサステイン電極（Ｚ）２０３が前面パネル２００に含まれて、アドレス電極（Ｘ）２１３は後面パネル２１０に含まれるもののみを図示及び説明しているが、前面パネル２００に全ての電極が形成されたり、またはスキャン電極（Ｙ）２０２、サステイン電極（Ｚ）２０３、アドレス電極（Ｘ）２１３のうち、少なくともいずれか１つの電極が隔壁２１２上に形成されてもよい。
【００４２】
このような図２の内容を考慮する際、本発明が適用できるプラズマディスプレイパネルは、駆動電圧を供給するためのスキャン電極（Ｙ）２０２、サステイン電極（Ｚ）２０３及びアドレス電極（Ｘ）２１３が形成されたものであり、それ以外の条件は特に問題にはならない。
【００４３】
ここで、図２の説明を終えて再び図１の説明に戻る。
【００４４】
スキャン駆動部１０２は、リセット期間にプラズマディスプレイパネル１００のスキャン電極（Ｙ）にセットアップパルス及びセットダウンパルスを供給し、アドレス期間にスキャンパルスを供給し、サステイン期間にサステインパルスを供給する。
【００４５】
サステイン駆動部１０３は画像を表示するサステイン期間において、サステイン電極（Ｚ）に前述したスキャン電極（Ｙ）に印加されるサステインパルスと交互にサステインパルスを供給する。
【００４６】
データ駆動部１０１はアドレス期間において、プラズマディスプレイパネル１００のアドレス電極（Ｘ）にデータパルスを供給する。
【００４７】
図３は本発明の第１実施形態に係るプラズマディスプレイ装置の駆動方法に係る駆動波形を示す図である。また、図４は本発明の第２実施形態に係るプラズマディスプレイ装置の駆動方法に係る駆動波形を示す図である。
【００４８】
図３を参照すれば、本発明の第１実施形態に係るプラズマディスプレイ装置の駆動方法に係る駆動波形は、全画面を初期化させるためのリセット期間（Ｒ）と、スキャンラインを選択し、選択されたスキャンラインで放電セルを選択するためのアドレス期間（Ａ）と、放電回数によって階調を具現するサステイン期間（Ｓ）に分けられて駆動される。
【００４９】
リセット期間（Ｒ）はセットアップ期間（Ｒ＿ｕｐ）とセットダウン期間（Ｒ＿ｄｎ）からなるが、セットアップ期間（Ｒ＿ｕｐ）には正（＋）極性の電圧からピーク電圧（Ｖｐｅａｋ）まで徐々に上昇するセットアップパルス（ＳＵＰ）である第１パルスがスキャン電極（Ｙ）に印加される。
【００５０】
前記セットアップパルス（ＳＵＰ）がスキャン電極（Ｙ）に印加されれば、全画面の放電セル内では微弱な放電が発生して放電セルの内部に壁電荷が形成される。
【００５１】
セットダウン期間（Ｒ＿ｄｎ）にはセットアップパルス（ＳＵＰ）のピーク電圧（Ｖｐｅａｋ）より低い正（＋）極性の電圧である第１電圧（Ｖ１）から負（−）極性のセットダウン電圧（−Ｖｓｄ）である第２電圧（Ｖ２）まで徐々に下降するセットダウンパルス（ＳＤＰ）である第２パルスがスキャン電極（Ｙ）に印加される。
【００５２】
この際、放電セルの内部では微弱な消去放電が発生し、以前に過度に不均衡的に生成された壁電荷が一定量に減少することになる。
【００５３】
ここで、セットダウン期間（Ｒ＿ｄｎ）の前半部ではアドレス電極（Ｘ）に正（＋）極性の第３電圧（Ｖ３）が供給されるが、アドレス電極（Ｘ）に供給される電圧（Ｖ３）は以後のアドレス期間（Ａ）の間、アドレス電極（Ｘ）に印加されるデータパルス（ｄｐ）の電圧（Ｖａ）と同様に形成される。
【００５４】
セットダウン期間（Ｒ＿ｄｎ）の後半部にはアドレス電極（Ｘ）の電圧がフローティングされる。アドレス電極（Ｘ）の電圧はセットダウン期間（Ｒ＿ｄｎ）の後半部にフローティングされて、セットダウンパルス（ＳＤＰ）がセットダウン最低電圧（−Ｖｓｄ＝Ｖ２）に到達する時までフローティング状態が維持（Ｔｄ１）されるが、アドレス電極（Ｘ）の電圧のフローティング期間は１μｓ以上５０μｓ以下に設定される。
【００５５】
また、セットダウン期間（Ｒ＿ｄｎ）にアドレス電極（Ｘ）の電圧がフローティングされる期間は、セットダウン期間（Ｒ＿ｄｎ）中、後半部の２／３期間以下である。例えば、セットダウン期間（Ｒ＿ｄｎ）の合計が１００μｓとすれば、セットダウン期間（Ｒ＿ｄｎ）の開始から３３μｓまでアドレス電極（Ｘ）に正（＋）極性の第３電圧（Ｖ３）が供給された後、残りのセットダウン期間（Ｒ＿ｄｎ）である６６μｓの間はアドレス電極（Ｘ）の電圧がフローティングされるということを意味する。
【００５６】
アドレス電極（Ｘ）のフローティング電圧は、アドレス電極（Ｘ）にデータ電圧（Ｖａ）と基底電圧を印加するために備えられる１つ以上のスイッチ素子（図示せず）が全てオフされることにより形成される。
【００５７】
アドレス期間（Ａ）では負（−）極性のスキャンパルス（ｓｐ）がスキャン電極（Ｙ）に印加され、正（＋）極性のデータパルス（ｄｐ）がアドレス電極（Ｘ）に同時に印加されることにより、放電セルの内部にアドレス放電が発生され、アドレス放電により選択された放電セルの内部には壁電荷が形成される。
【００５８】
この際、図４に示すように、セットダウン期間（Ｒ＿ｄｎ）とアドレス期間（Ａ）の間、サステイン電極（Ｚ）には正（＋）極性の第４電圧（Ｖ４）を供給する。
【００５９】
第４電圧（Ｖ４）は後述するサステイン期間（Ｓ）の間、サステイン電極（Ｚ）に印加されるサステインパルス（ｓｕｓ）の電圧（Ｖｓ）と同様に形成される。
【００６０】
ここで、サステイン電極（Ｚ）に供給される電圧は、セットダウン期間（Ｒ＿ｄｎ）の後半部において所定時間の間フローティングされる。サステイン電極（Ｚ）のフローティング電圧もやはり、サステイン電極（Ｚ）にサステイン電圧（Ｖｓ）と基底電圧を印加するために備えられる１つ以上のスイッチ素子（図示ぜず）が全てオフされることにより形成される。
【００６１】
ここで、セットダウン期間（Ｒ＿ｄｎ）の間、サステイン電極（Ｚ）の電圧のフローティング開始時点は、アドレス電極（Ｘ）の電圧のフローティング開始時点と同一であってもよい。すなわち、アドレス電極（Ｘ）にデータ電圧（Ｖａ）と基底電圧を印加するために備えられる１つ以上のスイッチ素子（図示せず）が全てオフされる時点とサステイン電極（Ｚ）にサステイン電圧（Ｖｓ）と基底電圧を印加するために備えられる１つ以上のスイッチ素子（図示せず）が全てオフされる時点が同一であってもよい。
【００６２】
このように、セットダウン期間（Ｒ＿ｄｎ）の後半部にアドレス電極（Ｘ）またはサステイン電極（Ｚ）と連結されるスイッチ素子が全てオフされれば、アドレス電極（Ｘ）またはサステイン電極（Ｚ）のフローティング電圧は、スキャン電極（Ｙ）に印加されるセットダウンパルス（ＳＤＰ）の傾きと類似な傾きで下降する。
【００６３】
従って、サステイン電極（Ｚ）の電圧がセットダウン期間（Ｒ＿ｄｎ）の後半部に所定期間（Ｔｄ１）の間フローティングされれば、スキャン電極（Ｙ）とサステイン電極（Ｚ）の間の放電が中止されるので、リセット期間（Ｒ）の間に発生される光量を減らしてブラック輝度を改善してプラズマディスプレイ装置のコントラスト（contrast）特性を向上させることができる。
【００６４】
サステイン期間（Ｓ）の間では、スキャン電極（Ｙ）とサステイン電極（Ｚ）にサステインパルス（ｓｕｓ）を交互に印加してサステイン放電を起こして画像を表示することになる。
【００６５】
このように、アドレス電極（Ｘ）の電圧がセットダウン期間（Ｒ＿ｄｎ）の後半部に所定期間（Ｔｄ１）の間フローティングされれば、サステイン電極（Ｚ）がフローティングされることによって、アドレス電極（Ｘ）の壁電荷状態が変わることを防いで、スキャン電極（Ｙ）とアドレス電極（Ｘ）との間の放電を安定化させることができる。
【００６６】
また、セットダウンパルス（ＳＤＰ）の最低電圧（−Ｖｓｄ＝Ｖ２）がスキャンパルス（ｓｐ）の電圧（−Ｖｙ）より多少高く設定される場合、スキャン電極（Ｙ）のセットダウンパルス（ＳＤＰ）が最低電圧（−Ｖｓｄ＝Ｖ２）に到達する前にアドレス電極（Ｘ）またはサステイン電極（Ｚ）の電圧をフローティングさせることができる。
【００６７】
この場合、フローティング電圧が印加される区間（Ｔｄ１）ではサステイン電極（Ｚ）とスキャン電極（Ｙ）との間に消去放電が生じないので、別途回路構成を変更すること無しにリセット期間（Ｒ）のコントラスト低下の問題が改善できることになる。
【００６８】
図５は、本発明の第３実施形態に係るプラズマディスプレイ装置の駆動方法による駆動波形を示す図である。
【００６９】
図５に示すように、セットダウン期間（Ｒ＿ｄｎ）の後半部でアドレス電極（Ｘ）の電圧がフローティングされ、フローティングされた電圧は所定期間の間、一定電圧を維持する形態を有する。
【００７０】
セットダウン期間（Ｒ＿ｄｎ）の後半部にアドレス電極（Ｘ）と連結されたスイッチ素子が全てオフされれば、アドレス電極（Ｘ）の電圧はフローティングされ、スキャン電極（Ｙ）の電圧に沿って下降する波形を有する。
【００７１】
この際、スキャン電極（Ｙ）に印加されるセットダウンパルス（ＳＤＰ）が負（−）極性のセットダウン最低電圧（−Ｖｓｄ＝Ｖ２）まで下降した後、一定時間（Ｔｓ）の間、セットダウン最低電圧である第２電圧（Ｖ２）を維持するようになされれば、アドレス電極（Ｘ）のフローティング電圧はスキャン電極の電圧に沿って下降してから、セットダウン最低電圧（−Ｖｓｄ＝Ｖ２）の維持時間（Ｔｓ）の間、フローティング電圧は所定の電圧を維持することになる。
【００７２】
このように、スキャン電極（Ｙ）に印加されるセットダウンパルス（ＳＤＰ）のピーク（peak）地点が平坦に形成されて、アドレス電極（Ｘ）のフローティング電圧も平坦部（flat-bottom）を有することになれば、放電セルの内部に形成された壁電荷を安定化させることができる。
【００７３】
ここで、サステイン電極（Ｚ）もセットダウン期間（Ｒ＿ｄｎ）の後半部でアドレス電極（Ｘ）の電圧がフローティングされる期間（Ｔｄ２）の間、フローティング電圧が供給される。
【００７４】
この場合にもサステイン電極（Ｚ）のフローティング電圧はセットダウンパルス（ＳＤＰ）に沿って下降してから、セットダウン最低電圧維持時間（Ｔｓ）の間、所定の電圧を維持する平坦部を有することになる。
【００７５】
スキャン電極（Ｙ）、サステイン電極（Ｚ）及びアドレス電極（Ｘ）がセットダウン期間（Ｒ＿ｄｎ）の最後に平坦部（flat-bottom）を有することになれば、セットダウン動作（消去放電）が充分になされて、セットダウン期間（Ｒ＿ｄｎ）の間に発生される消去放電により壁電荷が安定化するので、アドレス放電性能を高めることができる。
【００７６】
また、スキャン電極（Ｙ）、サステイン電極（Ｚ）及びアドレス電極（Ｘ）がセットダウン期間（Ｒ＿ｄｎ）の最後に平坦部（flat-bottom）を有し、セットアップ期間（Ｒ＿ｕｐ）の間、アドレス電極（Ｘ）と連結されたスイッチ素子がオフされてアドレス電極（Ｘ）の電圧がフローティングされる。
【００７７】
セットダウン期間（Ｒ＿ｄｎ）の間、スキャン電極（Ｙ）、サステイン電極（Ｚ）及びアドレス電極（Ｘ）に不均衡に形成された壁電荷が消去されるが、この際、セットダウン期間（Ｒ＿ｄｎ）の間、スキャン電極（Ｙ）に印加されるセットダウンパルス（ＳＤＰ）の最低電圧（−Ｖｓｄ＝Ｖ２）は、一般的にアドレス期間（Ａ）の間に印加されるスキャンパルス（ｓｐ）の電圧（−Ｖｙ）と同様に形成されてもよいし、異なるように形成されてもよい。
【００７８】
セットダウン期間（Ｒ＿ｄｎ）の間に発生される消去放電によりコントラストが低下するので、消去放電を減らして消去放電時に発生される光を減らすためにセットダウンパルス（ＳＤＰ）の最低電圧がスキャンパルス（ｓｐ）の電圧（−Ｖｙ）より多少高く設定された。
【００７９】
このために、スキャン電極（Ｙ）に印加されるセットダウンパルス（ＳＤＰ）が所定の電圧に到達すれば、電圧の下降を中断させる回路または別途の電圧源を設置して、セットダウンパルス（ＳＤＰ）の最低電圧を印加しなければならない。
【００８０】
しかしながら、本発明のように、セットダウン期間（Ｒ＿ｄｎ）の間、サステイン電極（Ｚ）とアドレス電極（Ｘ）の電圧をフローティングさせれば、フローティング期間の間、サステイン電極（Ｚ）とスキャン電極（Ｙ）との間の消去放電が中断されるので、セットダウンパルス（ＳＤＰ）の最低電圧がスキャンパルス（ｓｐ）の電圧（−Ｖｙ）と同様に形成されるとしても、セットダウンパルス（ＳＤＰ）の最低電圧がスキャンパルスの電圧より多少高く設定される場合と同一の効果を有する。
【００８１】
図６は本発明の第４実施形態に係るプラズマディスプレイ装置の駆動方法による駆動波形を示す図である。また、図７は本発明の第５実施形態に係るプラズマディスプレイ装置の駆動方法による駆動波形を示す図である。さらに、図８は本発明の第６実施形態に係るプラズマディスプレイ装置の駆動方法による駆動波形を示す図である。
【００８２】
図６乃至図８に図示された駆動波形は、図３乃至図５に図示された駆動波形とセットアップ期間を除いては同一であるので、セットアップ期間に対してのみ説明することにする。
【００８３】
図６乃至図８を参照すれば、本発明の第４乃至第６実施形態に係るプラズマディスプレイ装置の駆動方法は、セットアップ期間（Ｒ＿ｕｐ）の間、アドレス電極（Ｘ）と連結されたスイッチ素子がオフされてアドレス電極（Ｘ）の波形がフローティングされる。
【００８４】
すなわち、セットアップ期間（Ｒ＿ｕｐ）が始まれば、アドレス電極（Ｘ）に基底電圧を印加するために備えられるスイッチ素子がオフされることによって、アドレス電極（Ｘ）の電圧はフローティングされるが、この際、アドレス電極（Ｘ）の電圧は、スキャン電極（Ｙ）に印加される第１パルス、すなわち、セットアップパルス（ＳＵＰ）により上昇することになる。
【００８５】
このように、アドレス電極（Ｘ）にデータ電圧（Ｖａ）と基底電圧を供給するために備えられるスイッチ素子が全てオフされれば、アドレス電極（Ｘ）と対向するスキャン電極（Ｙ）またはサステイン電極（Ｚ）の電圧によってアドレス電極（Ｘ）の電圧がフローティングされる。
【００８６】
前記セットアップ期間（Ｒ＿ｕｐ）の間、サステイン電極（Ｚ）は基底電圧を維持して、スキャン電極（Ｙ）にはセットアップパルス（ＳＵＰ）が供給されるので、アドレス電極（Ｘ）は上昇する波形を有する。
【００８７】
この際、アドレス電極（Ｘ）のフローティング電圧は、アドレス電極（Ｘ）に供給される最高電圧であるデータ電圧（Ｖａ）より大きい電圧に上昇できないので、アドレス電極（Ｘ）のフローティング電圧は、スキャン電極（Ｙ）のセットアップパルス（ＳＵＰ）に沿って基底電圧からデータ電圧まで上昇し、セットアップパルス（ＳＵＰ）の電圧がデータ電圧より大きくなれば、アドレス電極（Ｘ）の電圧はクランピング（clamping）されて、これ以上上昇しない。
【００８８】
このように、前記セットアップ期間（Ｒ＿ｕｐ）の間、アドレス電極（Ｘ）の電圧をフローティングさせれば、アドレス電極（Ｘ）の電圧がデータ電圧（Ｖａ）まで上昇する間、アドレス電極（Ｘ）の壁電荷状態変化が緩やかになされるので、より安定的にプラズマディスプレイ装置を駆動することができる。
【図面の簡単な説明】
【００８９】
【図１】本発明の一実施形態に係るプラズマディスプレイ装置を説明するための図である。
【図２】本発明の一実施形態に係るプラズマディスプレイ装置において、プラズマディスプレイパネルの構造の一例を説明するための図である。
【図３】本発明の第１実施形態に係るプラズマディスプレイ装置の駆動方法による駆動波形を示す図である。
【図４】本発明の第２実施形態に係るプラズマディスプレイ装置の駆動方法による駆動波形を示す図である。
【図５】本発明の第３実施形態に係るプラズマディスプレイ装置の駆動方法による駆動波形を示す図である。
【図６】本発明の第４実施形態に係るプラズマディスプレイ装置の駆動方法による駆動波形を示す図である。
【図７】本発明の第５実施形態に係るプラズマディスプレイ装置の駆動方法による駆動波形を示す図である。
【図８】本発明の第６実施形態に係るプラズマディスプレイ装置の駆動方法による駆動波形を示す図である。
【符号の説明】
【００９０】
１００  プラズマディスプレイパネル
１０１  データ駆動部
１０２  スキャン駆動部
１０３  サステイン駆動部
２００  前面パネル
２０２  スキャン電極
２０３  サステイン電極
２１０  後面パネル
２１１  後面基板
２１３  アドレス電極
【図１】
2007249204.tif 000003
【図２】
2007249204.tif 000004
【図３】
2007249204.tif 000005
【図４】
2007249204.tif 000006
【図５】
2007249204.tif 000007
【図６】
2007249204.tif 000008
【図７】
2007249204.tif 000009
【図８】
2007249204.tif 000010